(57)【要約】【課題】あらかじめ登録されている利用者を音声により識別し、登録されたユーザに限り、メモリや外部補助記憶装置に記憶されているそのユーザ固有の情報を処理するようにしたものがあるが、登録されている利用者を音声により識別して特定する構成が複雑化し、誤認識の可能性があり信頼性に欠ける課題があった。【解決手段】シークレットモードにおいては、行先、経路、走行距離および走行方向などの走行ログを含む各種情報が第２記憶手段７へ記憶されるため、ナビゲーション装置を利用したときのその利用者固有の前記各種情報を他の利用者に知られたくないときは、記憶モードをシークレットモードへ設定しナビゲーション装置を使用し、ナビゲーション装置の使用後、第２記憶手段７をナビゲーション装置本体から取り外してその利用者が所持管理すればよい。【選択図】        図１
2004361116.tif 000002
【特許請求の範囲】
【請求項１】
各種入力を行うための入力手段と、経路の誘導、自車位置や設定情報を含む各種情報の表示を行う出力手段と、地図情報を取得する地図情報取得手段と、各種センサからの検出信号に基づいて自車位置を知るための位置検出手段と、目的に合致した経路を探索する経路探索手段とを備えたナビゲーション装置において、
装置本体に内蔵され、通常モードにおいて行先設定・登録情報、走行履歴を含む各種情報を記憶する第１記憶手段と、
前記装置本体に対し着脱可能に構成され、シークレットモードにおいて行先設定・登録情報、走行履歴を含む各種情報を記憶する第２記憶手段と、
前記入力手段から入力された前記通常モードまたは前記シークレットモードの記憶モードを保持し、前記通常モードを保持しているときには前記第１記憶手段を選択し、前記シークレットモードを保持しているときには前記第２記憶手段を選択する記憶モード選択手段と
を備えたことを特徴とするナビゲーション装置。
【請求項２】
第２記憶手段は、個人認証機能を備えていることを特徴とする請求項１記載のナビゲーション装置。
【請求項３】
各種入力を行うための入力手段と、経路の誘導、自車位置や設定情報を含む各種情報の表示を行う出力手段と、地図情報を取得する地図情報取得手段と、各種センサからの検出信号に基づいて自車位置を知るための位置検出手段と、目的に合致した経路を探索する経路探索手段とを備えたナビゲーション装置において、
装置本体に内蔵され、通常モードにおいて行先設定・登録情報、走行履歴を含む各種情報を記憶する第１記憶エリアと、シークレットモードにおいて行先設定・登録情報、走行履歴を含む各種情報を記憶する第２記憶エリアとを有した記憶手段と、
前記入力手段から入力された前記通常モードまたは前記シークレットモードの記憶モードを保持し、前記通常モードを保持しているときには前記第１記憶エリアを選択し、前記シークレットモードを保持しているときには前記第２記憶エリアを選択する記憶モード選択手段と、
前記シークレットモードが解除されると、第２記憶エリアに記憶されている行先設定・登録情報、走行履歴を含む各種情報を消去する消去手段と
を備えたことを特徴とするナビゲーション装置。
【請求項４】
第２記憶手段または第２記憶エリアに記憶する各種情報を利用者が選択可能にしたことを特徴とする請求項１または請求項３記載のナビゲーション装置。
【発明の詳細な説明】
【０００１】
【発明の属する技術分野】
この発明は、複数の利用者が使用することのあるナビゲーション装置において、利用者のプライバシィを保護することの可能なナビゲーション装置に関するものである。
【０００２】
【従来の技術】
従来のナビゲーション装置においては、ＧＰＳ受信装置、速度センサ、角速度センサなどの位置検出手段により自車位置を知ることが出来る。また、ＣＤ−ＲＯＭドライブ、ＤＶＤ−ＲＯＭドライブ、通信装置などの地図情報取得手段により、ナビゲーションに必要な地図情報を取得する。また、操作パネルやリモコン装置などの入力手段により行先設定や経路探索実行命令などを行う。また、コンピュータなどの情報処理回路である経路探索手段により目的に合致した経路を導くことが可能である。また、ディスプレイパネルや音声合成装置などの出力手段により、経路の誘導、自車位置や設定情報の表示を行う。また、データの読み書き可能な半導体メモリやディスク装置などの記憶手段により、入力操作や発生イベントに従って行先設定・登録情報や経路情報、走行履歴などが記録されていく。
ところで、このような従来のナビゲーション装置においては、前記半導体メモリやディスク装置などの記憶手段は装置本体と一体になっており、車用のナビゲーション装置においてその車を複数の利用者が共用する場合、ナビゲーション装置の前記記憶手段には、各利用者が車を利用しナビゲーション装置を使用したときの行先設定・登録情報や経路情報、走行履歴などが利用者とは無関係に記録されていく。このため、利用者は車による行動履歴を他の利用者に知られてしまうなど、各利用者のプライバシィの保護という観点から問題があった。
【０００３】
このような利用者のプライバシィを保護するものとしては、例えば、登録したユーザを音声で識別し特定し、登録されたユーザに限り、メモリや外部補助記憶装置に記憶されているそのユーザ固有のプライベイトな情報を読み出したり、データ処理を可能にするものがある（例えば、特許文献１参照）。
【０００４】
【特許文献１】
特開平１１−２８８２９６号公報（第１０頁）
【０００５】
【発明が解決しようとする課題】
従来のナビゲーション装置は以上のように構成されており、複数の利用者が使用することのあるナビゲーション装置においては、外部に知られたくないプライベイトな情報を他の利用者に知られてしまうなど、各利用者のプライバシィの保護が図られていないという問題がある。このような問題を解決するため、あらかじめ登録されている利用者を音声により識別し特定し、登録されたユーザに限り、メモリや外部補助記憶装置に記憶されているそのユーザ固有の情報を処理できるようにしたものがあるが、登録されている利用者を音声により識別して特定する構成が複雑化することや、誤認識の可能性があり信頼性にかけるという課題があった。
【０００６】
この発明は、上記のような課題を解決するためになされたものであり、各利用者固有の例えば行動履歴を含むプライベイトな情報を他の利用者に知られてしまうなど、各利用者のプライベイトな情報に対するプライバシィの侵害を簡単な構成により確実に防止できるナビゲーション装置を得ることを目的とする。
【０００７】
【課題を解決するための手段】
この発明に係るナビゲーション装置は、装置本体に内蔵され、通常モードにおいて行先設定・登録情報、走行履歴を含む各種情報を記憶する第１記憶手段と、前記装置本体に対し着脱可能に構成され、シークレットモードに設定されている間の行先設定・登録情報、走行履歴を含む各種情報を記憶する第２記憶手段と、入力手段から入力された前記通常モードまたは前記シークレットモードの記憶モードを保持し、前記通常モードを保持しているときには前記第１記憶手段を選択し、前記シークレットモードを保持しているときには前記第２記憶手段を選択する記憶モード選択手段とを備えたものである。
【０００８】
この発明に係るナビゲーション装置は、装置本体に内蔵され、通常モードにおいて行先設定・登録情報、走行履歴を含む各種情報を記憶する第１記憶エリアと、シークレットモードにおいて行先設定・登録情報、走行履歴を含む各種情報を記憶する第２記憶エリアとを有した記憶手段と、入力手段から入力された前記通常モードまたは前記シークレットモードの記憶モードを保持し、前記通常モードを保持しているときには前記第１記憶エリアを選択し、前記シークレットモードを保持しているときには前記第２記憶エリアを選択する記憶モード選択手段と、前記シークレットモードが解除されると、前記第２記憶エリアに記憶されている行先設定・登録情報、走行履歴を含む各種情報を消去する消去手段とを備えたものである。
【０００９】
【発明の実施の形態】
以下、この発明の実施の一形態について説明する。
実施の形態１．
図１は、この実施の形態１の車載用のナビゲーション装置の構成を示すブロック図である。このナビゲーション装置は、メモリの利用形態として通常モードとシークレットモードを有している。シークレットモードは、設定した行先、経路、走行履歴を含む各種情報の記録がナビゲーション装置本体に一切残らない記憶モードである。また、通常モードは、設定した行先、経路、走行履歴を含む各種情報の記録がナビゲーション装置本体に内蔵するメモリへ書込まれ保持される記憶モードである。
【００１０】
このナビゲーション装置は、入力手段１、出力手段２、地図情報取得手段３、位置検出手段４、経路探索手段５、第１記憶手段６、第２記憶手段７、記憶モード選択手段８などを備えている。
【００１１】
入力手段１は、シークレットモードの設定および解除の入力機能を有している。入力方法は専用スイッチやタッチパネルスイッチによるメニューボタンでもよいし、また、専用メニューを持たず複数ボタン同時押し、ボタン長押し、専用リモコン装置からの操作、携帯電話からの操作などによるシークレットモードそのものの存在が認識され難い構成であってもよい。
【００１２】
出力手段２はディスプレイパネルや音声合成装置などであり、経路の誘導、自車位置や設定情報の表示を行う。
【００１３】
地図情報取得手段３は、ＣＤ−ＲＯＭドライブ、ＤＶＤ−ＲＯＭドライブ、通信装置などであり、ナビゲーションに必要な地図情報を取得するためのものである。
【００１４】
位置検出手段４は、ＧＰＳ受信装置、速度センサ、角速度センサなどにより自車位置を知るためのものである。
【００１５】
経路探索手段５はコンピュータなどの情報処理回路であり、目的に合致した経路を探索する機能を有している。
【００１６】
第１記憶手段６は、このナビゲーション装置に内蔵された半導体メモリであり、通常モードにおいて行先設定・登録情報、走行履歴を含む各種情報が記憶される
。
【００１７】
第２記憶手段７は、このナビゲーション装置に対し着脱可能なメモリであり、例えば、ＳＤ（Ｓｅｃｕｒｅ  Ｄｉｇｉｔａｌ）カード、メモリスティック、ＣＦ（Ｃｏｍｐａｃｔ  Ｆｌａｓｈ）カード、スマートメディア、マルチメディアカードなどである。そして、シークレットモードに設定されている間の行先設定・登録情報、走行履歴を含む各種情報が記憶される。
また、この第２記憶手段７に記憶する各種情報を利用者が選択可能にする選択手段を備えるように構成することも可能である。なお、これを実現する手段としては、第２記憶手段７に記憶する情報の属性（例えば、電話番号、その電話番号をもとに登録された目的地、経由地、経路などの走行履歴）を入力手段１から設定登録しておき、この設定登録された属性の情報に限り第２記憶手段７に記憶する。
さらに、この第２記憶手段７には、例えば、パスワードによる読書き機能保護などの個人認証機能を設けることが出来る。
【００１８】
記憶モード選択手段８は、前記入力手段１から設定されたシークレットモードまたは通常モードの記憶モードを保持し、前記設定された記憶モードに対応して前記第１記憶手段６または第２記憶手段７を選択するものである。
【００１９】
次に動作について説明する。
図２は、この実施の形態１のナビゲーション装置の動作を示すタイミングチャートである。以下、このタイミングチャートに従って動作を説明する。このナビゲーション装置は、モード設定をシークレットモードに設定しない限り通常モードで動作する。この通常モードでは、入力手段１に対する入力操作により設定された行先と、経路探索手段５により探索され決定された経路と、走行距離および走行方向などの走行ログが第１記憶手段６に書込まれる。この第１記憶手段６に格納された前記各種情報は、不特定の利用者が必要に応じて読み出すことが可能でありナビゲーションに利用することが出来る。
【００２０】
モード状態がこのような通常モードにあるとき、入力手段１の操作によりシークレットモードへ切り替えが行われると、記憶モードはそれまでの通常モードからシークレットモードへ切り替わる。そして、入力手段１に対する入力操作により設定された行先、経路探索手段５により探索され決定された経路、走行距離および走行方向などの走行ログを含む各種情報を書込むメモリとして第２記憶手段７が選択される。この第２記憶手段７が選択される条件は、シークレットモードが選されていることと、第２記憶手段７がこのナビゲーション装置本体の所定の挿入箇所に差し込まれていることを含む。
【００２１】
このシークレットモードでは、入力手段１における入力操作により設定された行先、経路探索手段５により探索され決定された経路、走行距離および走行方向などの走行ログを含む各種情報が第２記憶手段７へ記憶される。
このため、ナビゲーション装置の利用者が、記憶モードをシークレットモードへ設定し、このナビゲーション装置を利用したときに第２記憶手段７へ記憶されたその利用者固有の行先、経路、走行距離および走行方向などの走行ログを含む各種情報を他の利用者に知られたくないときは、この第２記憶手段７をナビゲーション装置本体から取り外して個々に所持管理すればよい。そして、その利用者がナビゲーション装置を再度利用するときには、その利用者が所持している第２記憶手段７をナビゲーション装置本体の所定の挿入箇所へ装着し、記憶モードをシークレットモードに設定し、前記装着した第２記憶手段７に記憶されているその利用者固有の行先、経路、走行距離および走行方向などの走行ログを含む各種情報を利用してナビゲーション装置を使用することが可能である。
【００２２】
また、この第２記憶手段７にパスワードによる読書き機能保護などの個人認証機能を設けることで、第三者の手にこの第２記憶手段７が渡った場合、第２記憶手段７に記憶されている前記利用者固有の情報を前記第三者が利用するのを困難にすることが出来、第２記憶手段７に記憶されている前記利用者固有の情報が外部に漏洩するのを防止することが出来、前記利用者のプライバシィを保護することが可能になる。
【００２３】
以上のように、この実施の形態１によれば、通常モード以外にシークレットモードを有し、行動履歴を含むプライベイトな情報を他の利用者に知られたくないときにはシークレットモードを選択し、行先、経路、走行距離および走行方向などの走行ログを含むプライベイトな情報が格納された第２記憶手段７をナビゲーション装置本体から取り外し、各利用者固有の行動履歴を含むプライベイトな情報を他の利用者に知られないようにすることが可能であるなど、各利用者のプライベイトな情報に対するプライバシィの侵害を簡単な構成により確実に防止できるナビゲーション装置が得られる効果がある。
【００２４】
実施の形態２．
図３は、この実施の形態２のナビゲーション装置の構成を示すブロック図である。この実施の形態２のナビゲーション装置は、ナビゲーション装置本体に実装されたメモリ９の記憶エリアを第１記憶エリア１１と第２記憶エリア１２の２つの記憶エリアに分割し、一方の第１記憶エリア１１を通常モード時に使用し、また他方の第２記憶エリア１２をシークレットモード時に使用するようにしたものである。また、消去手段１３を備えており、この消去手段１３は、それまでシークレットモードが選択されていた状態で、前記入力手段１により通常モードが選択されたとき、前記第２記憶エリア１２に記憶された行先、経路、走行距離および走行方向などの走行ログを含む各種情報を全て消去する機能を備えている。
【００２５】
次に動作について説明する。
図４は、この実施の形態２のナビゲーション装置の動作を示すタイミングチャートである。図４に示すタイミングチャートにおいて図２に示したタイミングチャートと同一の動作についてはその説明を省略する。
このナビゲーション装置でも、モード設定をシークレットモードにしない限り通常モードで動作する。また、モード状態がこのような通常モードにあるときに、入力手段１の操作によりシークレットモードへ切り替えが行われたときの動作も前記実施の形態１の図２のタイミングチャートに示す動作と同様であり、入力手段１における入力操作により設定された行先、経路探索手段５により探索され決定された経路、走行距離および走行方向などの走行ログを含む各種情報の書込み先が第２記憶エリア１２に選択され、これら行先、経路、走行距離および走行方向などの走行ログを含む各種情報が第２記憶エリア１２へ記憶される。
【００２６】
また、シークレットモードから通常モードへ記憶モードが再度切り替えられたときには、前記シークレットモード時に第２記憶エリア１２へ記憶された前記行先、経路、走行距離および走行方向などの走行ログを含む各種情報は消去手段１３により全て消去される。
【００２７】
従って、この実施の形態２によれば、通常モード以外にシークレットモードを有し、行動履歴を含むプライベイトな情報を他の利用者に知られたくないときにはシークレットモードを選択し、行先、経路、走行距離および走行方向などの走行ログを含むプライベイトな情報を第２記憶エリア１２に格納し、前記シークレットモードが解除されたときには、前記第２記憶エリア１２に記録されたその利用者固有の行動履歴を含むプライベイトな情報を全て消去するように構成したので、ナビゲーション装置を使用したときの行動履歴を含むプライベイトな情報を他の利用者に知られないようにすることが可能であり、各利用者のプライベイトな情報に対するプライバシィの侵害を簡単な構成により確実に防止できる効果がある。
【００２８】
【発明の効果】
以上のように、この発明によれば、装置本体に内蔵され、通常モードにおいて行先設定・登録情報、走行履歴を含む各種情報を記憶する第１記憶手段と、前記装置本体に対し着脱可能に構成され、シークレットモードにおいて行先設定・登録情報、走行履歴を含む各種情報を記憶する第２記憶手段と、入力手段から入力された前記通常モードまたは前記シークレットモードの記憶モードを保持し、前記通常モードを保持しているときには前記第１記憶手段を選択し、前記シークレットモードを保持しているときには前記第２記憶手段を選択する記憶モード選択手段とを備えるように構成したので、ナビゲーション装置を使用したときの行動履歴を含む利用者個々のプライベイトな情報を他の利用者に知られたくないときにはシークレットモードを選択し、前記プライベイトな情報を第２記憶手段に記憶させ、その後、第２記憶手段を装置本体から取り外し利用者ごとに所持管理すればよい。このため、各利用者がナビゲーション装置を使用したときの他の利用者に知られたくないプライベイトな情報を簡単な構成により確実に保護できる効果がある。
【００２９】
この発明によれば、装置本体に内蔵され、通常モードにおいて行先設定・登録情報、走行履歴を含む各種情報を記憶する第１記憶エリアと、シークレットモードにおいて行先設定・登録情報、走行履歴を含む各種情報を記憶する第２記憶エリアとを有した記憶手段と、入力手段から入力された前記通常モードまたは前記シークレットモードの記憶モードを保持し、前記通常モードを保持しているときには前記第１記憶エリアを選択し、前記シークレットモードを保持しているときには前記第２記憶エリアを選択する記憶モード選択手段と、前記シークレットモードが解除されると、前記第２記憶エリアに記憶されている行先設定・登録情報、走行履歴を含む各種情報を消去する消去手段とを備えるように構成したので、ナビゲーション装置を使用したときの行動履歴を含む利用者個々のプライベイトな情報を他の利用者に知られたくないときにはシークレットモードを選択し、前記プライベイトな情報を第２記憶エリアに記憶させ、また、シークレットモードを解除することで前記第２記憶エリアに記憶されていた前記プライベイトな情報を消去できるので、ナビゲーション装置を使用したときのその利用者のプライベイトな情報を他の利用者に知られないようにすることが可能であり、他の利用者に知られたくないプライベイトな情報を簡単な構成により確実に保護できる効果がある。
【図面の簡単な説明】
【図１】この発明の実施の形態１のナビゲーション装置の構成を示すブロック図である。
【図２】この発明の実施の形態１のナビゲーション装置の動作を示すタイミングチャートである。
【図３】この発明の実施の形態２のナビゲーション装置の構成を示すブロック図である。
【図４】この発明の実施の形態２のナビゲーション装置の動作を示すタイミングチャートである。
【符号の説明】
１  入力手段、２  出力手段、３  地図情報取得手段、４  位置検出手段、５経路探索手段、６  第１記憶手段、７  第２記憶手段、８  記憶モード選択手段、９  メモリ、１１  第１記憶エリア、１２  第２記憶エリア、１３  消去手段。
【図１】
2004361116.tif 000003
【図２】
2004361116.tif 000004
【図３】
2004361116.tif 000005
【図４】
2004361116.tif 000006